【手続補正書】
【提出日】平成20年2月21日(2008.2.21)
【手続補正１】
【補正対象書類名】特許請求の範囲
【補正対象項目名】全文
【補正方法】変更
【補正の内容】
【特許請求の範囲】
【請求項１】
Ｘが２に等しいかそれ以上の場合にＸのＨＰＤＤ（高電力ディスクドライブ）を含む第１のディスクアレイと、
Ｙは１に等しいかそれ以上の場合にＹのＬＰＤＤ（低電力ディスクドライブ）を含む第２のディスクアレイと、
前記第１および第２のディスクアレイと通信し、前記第２のディスクアレイを利用して前記第１のディスクアレイへおよび／または前記第１のディスクアレイからデータをキャッシュするアレイ管理モジュールと
を備えたＲＡＩＤ（独立ディスク冗長配列）システムであって、
読取りデータを第１のＨＰＤＤから読取り、前記読取りデータが順次アクセスデータファイルを含む場合、前記アレイ管理モジュールは前記読取りデータのセグメントを前記第１のＨＰＤＤから第１のＬＰＤＤへ転送するバースト周期を計算するＲＡＩＤシステム。
【請求項２】
前記ＨＰＤＤは１つ以上のプラッタを含み、前記１つ以上のプラッタは１．８インチ以上の直径を持つ、請求項１に記載のＲＡＩＤシステム。
【請求項３】
前記ＬＰＤＤは１つ以上のプラッタを含み、前記１つ以上のプラッタは１．８インチに等しいかそれ以下の直径を持つ、請求項１に記載のＲＡＩＤシステム。
【請求項４】
前記第１と第２のディスクアレイは前記アレイ管理モジュールと直接通信する、請求項１に記載のＲＡＩＤシステム。
【請求項５】
前記第１のディスクアレイは前記アレイ管理モジュールと通信し、前記第２のディスクアレイは前記第１のディスクアレイと通信する、請求項１に記載のＲＡＩＤシステム。
【請求項６】
前記第２のディスクアレイは前記アレイ管理モジュールと通信し、前記第１のディスクアレイは前記第２のディスクアレイと通信する、請求項１に記載のＲＡＩＤシステム。
【請求項７】
前記アレイ管理モジュールは作動中、前記第２のディスクアレイに対する電力を維持し、作動中にオフモードの前記第１のディスクアレイを選別的に作動する、請求項１に記載のＲＡＩＤシステム。
【請求項８】
前記第１のディスクアレイの回りにバイパス経路を更に備え、前記アレイ管理モジュールは前記第１のディスクアレイを選別的に迂回してデータを前記第２のディスクアレイに送る、請求項５に記載のＲＡＩＤシステム。
【請求項９】
前記第２のディスクアレイの回りにバイパス経路を更に備え、前記アレイ管理モジュールは前記第２のディスクアレイを迂回してデータを前記第１のディスクアレイに送る、請求項６に記載のＲＡＩＤシステム。
【請求項１０】
前記アレイ管理モジュールは第１のＬＰＤＤ内のＬＵＢ（最小使用ブロック）を識別するＬＵＢモジュールを含み、データ記憶要求とデータ検索要求の少なくとも１つを受けた場合に、前記アレイ管理モジュールは低電力モード中に前記ＬＵＢを選別的に第１のＨＰＤＤに転送する、請求項６に記載のＲＡＩＤシステム。
【請求項１１】
書込みデータに対する前記記憶要求中、前記第１のＬＰＤＤ上に前記書込みデータ用に十分なスペースがあれば前記アレイ管理モジュールは前記書込みデータを前記第１のＬＰＤＤに転送し、前記第１のＬＰＤＤ上に前記書込みデータ用に十分なスペースがない場合は、前記アレイ管理モジュールは前記第１のＨＰＤＤを起動し、少なくとも１つの前記ＬＵＢを前記第１のＬＰＤＤから前記第１のＨＰＤＤに転送し、前記書込みデータを前記第１のＬＰＤＤに転送する、請求項１０に記載のＲＡＩＤシステム。
【請求項１２】
前記アレイ管理モジュールは、前記第１のＬＰＤＤ上に前記書込みデータ用に十分なスペースがない場合に前記書込みデータが前記ＬＵＢより前に使用される可能性があるかどうか判定する適応記憶モジュールを含み、前記書込みデータが前記ＬＵＢの後に使用される可能性がある場合は、前記アレイ管理モジュールは前記書込みデータを前記第１のＨＰＤＤ上に記憶し、前記書込みデータが前記ＬＵＢより前に使用される可能性がある場合、前記アレイ管理モジュールは前記第１のＨＰＤＤを起動し、前記ＬＵＢを前記第１のＬＰＤＤから前記第１のＨＰＤＤに転送し、次に前記書込みデータを前記第１のＬＰＤＤに転送する、請求項１１に記載のＲＡＩＤシステム。
【請求項１３】
読取りデータに対する前記データ検索要求中、前記読取りデータが前記第１のＬＰＤＤに記憶されている場合は、前記アレイ管理モジュールは前記読取りデータを前記第１のＬＰＤＤから検索する、請求項１０に記載のＲＡＩＤシステム。
【請求項１４】
前記アレイ管理モジュールは、前記読取りデータが前記第１のＬＰＤＤにない場合、前記読取りデータが１度使用される可能性があるかどうかを判定する適応記憶モジュールを含み、前記読取りデータが１度使用される可能性がある場合、前記アレイ管理モジュールは前記読取りデータを前記第１のＨＰＤＤから検索し、前記適応記憶モジュールが前記読取りデータは一度以上使用される可能性があると判定し、前記第１のＬＰＤＤ上で前記読取りデータ用に十分なスペースがある場合、前記アレイ管理モジュールは前記読取りデータを前記第１のＨＰＤＤから前記第１のＬＰＤＤに転送し、前記適応記憶モジュールが前記読取りデータは一度以上使用される可能性があると判定し、前記第１のＬＰＤＤ上に前記読取りデータ用に十分なスペースがない場合、前記アレイ管理モジュールは前記ＬＵＢを前記第１のＬＰＤＤから前記第１のＨＰＤＤに転送し、前記読取りデータを前記第１のＨＰＤＤから前記第１のＬＰＤＤに転送する、請求項１０に記載のＲＡＩＤシステム。
【請求項１５】
前記第１のＬＰＤＤ上に前記読取りデータ用に十分なスペースがあれば、前記アレイ管理モジュールは前記読取りデータを前記第１のＨＰＤＤから前記第１のＬＰＤＤに転送する、請求項１３に記載のＲＡＩＤシステム。
【請求項１６】
前記第１のＬＰＤＤ上に前記読取りデータ用に十分なスペースがない場合は、前記アレイ管理モジュールは前記ＬＵＢを前記第１のＬＰＤＤから前記第１のＨＰＤＤに転送し、前記読取りデータを前記第１のＨＰＤＤから前記第１のＬＰＤＤに転送する、請求項１３に記載のＲＡＩＤシステム。
【請求項１７】
前記読取りデータが前記第１のＬＰＤＤにない場合は、前記アレイ管理モジュールは前記読取りデータを前記第１のＨＰＤＤから検索する、請求項１３に記載のＲＡＩＤシステム。
【請求項１８】
書込みデータに対する記憶要求中、前記アレイ管理モジュールは前記第１のＬＰＤＤ上に前記書込みデータ用に十分なスペースがあるかどうかを判定し、十分なスペースがある場合は前記書込みデータを前記第１のＬＰＤＤに転送し、十分なスペースがない場合は、前記アレイ管理モジュールは前記書込みデータを第１のＨＰＤＤに記憶する、請求項１に記載のＲＡＩＤシステム。
【請求項１９】
前記アレイ管理モジュールは更に、データファイルを定期的に前記第１のＬＰＤＤから前記第１のＨＰＤＤに転送して前記第１のＬＰＤＤ上で利用可能なディスクスペースを増やすＬＰＤＤ保守モジュールを含み、前記ＬＰＤＤ保守モジュールは前記データファイルを経年、サイズ、今後使用する尤度の少なくとも１つをベースに転送する、請求項１８に記載のＲＡＩＤシステム。
【請求項２０】
読取りデータを前記第１のＨＰＤＤから読み取り、前記読取りデータが順次アクセスデータファイルを含む場合、前記アレイ管理モジュールは前記読取りデータのセグメントを前記第１のＨＰＤＤから第１のＬＰＤＤに転送するバースト周期を計算し、前記バースト周期は、前記第１のＬＰＤＤのスピンアップ時間、前記第１のＨＰＤＤのスピンアップ時間、前記第１のＬＰＤＤの消費電力、前記第１のＨＰＤＤの消費電力、前記読取りデータの再生長、前記第１のＬＰＤＤの容量に基づく、請求項１に記載のＲＡＩＤシステム。
【請求項２１】
請求項１のＲＡＩＤシステムを備えたＮＡＳ（ネットワーク付加記憶）システム。